(57)【要約】      （修正有）【課題】Ｈ５（第５世代ハイパーテキストマークアップ言語）ウェブページに基づくページ表示方法、ページ表示装置、ページ表示デバイス及びコンピュータ記憶媒体を提供する。【解決手段】Ｈ５ウェブページに基づくページ表示方法は、ウェブビューにメインページをロードするステップと、Ｈ５ウェブページのコンテンツを取得するステップと、Ｈ５ウェブページのコンテンツを含むページタグを作成するステップと、メインページにページタグをロードするステップと、を含む。【効果】Ｈ５ウェブページに基づくページ表示方法は、Ｈ５ウェブページのコンテンツを速やかに表示することができ、占有するメモリを少なくでき、表示スタイルをカスタマイズすることもできる。【選択図】図１
2020004374.tif 000002
【特許請求の範囲】
【請求項１】
ウェブビューにメインページをロードするステップと、
Ｈ５ウェブページのコンテンツを取得するステップと、
前記Ｈ５ウェブページのコンテンツを含むページタグを作成するステップと、
前記メインページに前記ページタグをロードするステップと、を含むことを特徴とするＨ５ウェブページに基づくページ表示方法。
【請求項２】
前記ページタグを作成するステップは、
Ｊａｖａｓｃｒｉｐｔ（登録商標）及び／又はＣｓｓによって提供された関数に基づいて、前記Ｈ５ウェブページのコンテンツの表示スタイルを設定するステップと、
前記表示スタイルに基づいて前記ページタグを作成するステップと、を含むことを特徴とする請求項１に記載のページ表示方法。
【請求項３】
前記ページタグを作成するステップは、
Ｊａｖａｓｃｒｉｐｔ（登録商標）及び／又はＣｓｓによって提供された関数に基づいて、前記ページタグに操作ボタンを設定するステップを含むことを特徴とする請求項１に記載のページ表示方法。
【請求項４】
Ｈ５ウェブページのコンテンツを取得するステップは、
音声インタラクション情報と、テキストインタラクション情報と、ジェスチャインタラクション情報を含む画像インタラクション情報とのうち、少なくとも１つを含むインタラクション情報を受信するステップと、
前記インタラクション情報に基づいて、前記インタラクション情報に対応するＨ５ウェブページのコンテンツを取得する要求を送信するステップと、
前記インタラクション情報に対応するＨ５ウェブページのコンテンツを受信するステップと、を含むことを特徴とする請求項１〜３のいずれかに記載のページ表示方法。
【請求項５】
ウェブビューにメインページをロードするメインページロードモジュールと、
Ｈ５ウェブページのコンテンツを取得する取得モジュールと、
前記Ｈ５ウェブページのコンテンツを含むページタグを作成する作成モジュールと、
前記メインページに前記ページタグをロードするページタグロードモジュールと、を含むことを特徴とするＨ５ウェブページに基づくページ表示装置。
【請求項６】
前記作成モジュールは、
Ｊａｖａｓｃｒｉｐｔ（登録商標）及び／又はＣｓｓによって提供された関数に基づいて、前記Ｈ５ウェブページのコンテンツの表示スタイルを設定する表示スタイル設定ユニットと、
前記表示スタイルに基づいて前記ページタグを作成するページタグ作成ユニットと、を含むことを特徴とする請求項５に記載のページ表示装置。
【請求項７】
前記作成モジュールは、
Ｊａｖａｓｃｒｉｐｔ（登録商標）及び／又はＣｓｓによって提供された関数に基づいて、前記ページタグに操作ボタンを設定する操作ボタン設定ユニットを含むことを特徴とする請求項５に記載のページ表示装置。
【請求項８】
前記取得モジュールは、
音声インタラクション情報と、テキストインタラクション情報と、ジェスチャインタラクション情報を含む画像インタラクション情報とのうち、少なくとも１つを含むインタラクション情報を受信するインタラクション情報受信ユニットと、
前記インタラクション情報に基づいて、前記インタラクション情報に対応するＨ５ウェブページのコンテンツを取得する要求を送信する要求送信ユニットと、
前記インタラクション情報に対応するＨ５ウェブページのコンテンツを受信するコンテンツ受信ユニットと、を含むことを特徴とする請求項５に記載のページ表示装置。
【請求項９】
１つ又は複数のプロセッサと、
１つ又は複数のプログラムを記憶する記憶装置と、を含むＨ５ウェブページに基づくページ表示デバイスであって、
前記１つ又は複数のプログラムが前記１つ又は複数のプロセッサによって実行されるとき、前記１つ又は複数のプロセッサは、請求項１〜４のいずれかに記載の方法を実現することを特徴とするＨ５ウェブページに基づくページ表示デバイス。
【請求項１０】
コンピュータプログラムが記憶されているコンピュータ読み取り可能な記憶媒体であって、
当該プログラムがプロセッサによって実行されるとき、請求項１〜４のいずれかに記載の方法が実現されることを特徴とするコンピュータ読み取り可能な記憶媒体。
【発明の詳細な説明】
【技術分野】
【０００１】
本発明は、ウェブページ作成の分野に関し、特にＨ５ウェブページに基づくページ表示方法、ページ表示装置、ページ表示デバイス及びコンピュータ記憶媒体に関する。
【背景技術】
【０００２】
第５世代ハイパーテキストマークアップ言語（ＨＴＭＬ５、Ｈ５）は、モバイルデバイスでウェブページの作成に使用することができる。モバイルデバイスは、Ｈ５天気予報、Ｈ５百度百科、Ｈ５音楽、Ｈ５ビデオなどのようなＨ５ウェブページでインタラクション情報を返すことが多い。現在、Ｈ５ウェブページのロードは、モバイルデバイスによって提供されたウェブビュー（ｗｅｂｖｉｅｗ）に基づいて行われる。例えば、チャットインターフェイスを表示するためにはリストが必要であり、各リストにおける１項目は、１つのｗｅｂｖｉｅｗにより１つのＨ５ウェブページをロードする。即ち、Ｈ５ウェブページのそれぞれは、１つのｗｅｂｖｉｅｗによりロードする必要がある。チャットによって返された結果がいずれもＨ５ウェブページの形である場合、大量のｗｅｂｖｉｅｗによりロードする必要があり、大量のメモリが占有されるので、インターフェイスの表示が遅くなる。
【発明の概要】
【発明が解決しようとする課題】
【０００３】
従来技術における１つ又は複数の技術課題を解決するために、本発明の実施例は、Ｈ５ウェブページに基づくページ表示方法、ページ表示装置、ページ表示デバイス及びコンピュータ記憶媒体を提供する。
【０００４】
第１の態様において、本発明の実施例は、ウェブビューにメインページをロードするステップと、Ｈ５ウェブページのコンテンツを取得するステップと、前記Ｈ５ウェブページのコンテンツを含むページタグを作成するステップと、前記メインページに前記ページタグをロードするステップと、を含むＨ５ウェブページに基づくページ表示方法を提供する。
【０００５】
第１の態様に基づき、本発明の実施例の第１の態様の第１の実施形態において、ページタグを作成するステップは、Ｊａｖａｓｃｒｉｐｔ（登録商標）及び／又はＣｓｓによって提供された関数に基づいて、前記Ｈ５ウェブページのコンテンツの表示スタイルを設定するステップと、前記表示スタイルに基づいて前記ページタグを作成するステップと、を含む。
【０００６】
第１の態様に基づき、本発明の実施例の第１の態様の第２の実施形態において、ページタグを作成するステップは、Ｊａｖａｓｃｒｉｐｔ（登録商標）及び／又Ｃｓｓによって提供された関数に基づいて、前記ページタグに操作ボタンを設定するステップを含む。
【０００７】
第１の態様又は第１の態様の第１の実施様態又は、第１の態様の第２の実施様態に基づき、本発明の実施例の第１の態様の第３の実施様態において、Ｈ５ウェブページのコンテンツを取得するステップは、音声インタラクション情報と、テキストインタラクション情報と、ジェスチャインタラクション情報を含む画像インタラクション情報とのうち、少なくとも１つを含むインタラクション情報を受信するステップと、前記インタラクション情報に基づいて、前記インタラクション情報に対応するＨ５ウェブページのコンテンツを取得する要求を送信するステップと、前記インタラクション情報に対応するＨ５ウェブページのコンテンツを受信するステップと、を含む。
【０００８】
第２の態様において、本発明の実施例は、ウェブビューにメインページをロードするメインページロードモジュールと、Ｈ５ウェブページのコンテンツを取得する取得モジュールと、前記Ｈ５ウェブページのコンテンツを含むページタグを作成する作成モジュールと、前記メインページに前記ページタグをロードするページタグロードモジュールと、を含むＨ５ウェブページに基づくページ表示装置を提供する。
【０００９】
第２の態様に基づき、本発明の実施例の第２の態様の第１の実施形態において、前記作成モジュールは、Ｊａｖａｓｃｒｉｐｔ（登録商標）及び／又はＣｓｓによって提供された関数に基づいて、前記Ｈ５ウェブページのコンテンツの表示スタイルを設定する表示スタイル設定ユニットと、前記表示スタイルに基づいて前記ページタグを作成するページタグ作成ユニットと、を含む。
【課題を解決するための手段】
【００１０】
第２の態様に基づき、本発明の実施例の第２態様の第２の実施形態において、前記作成モジュールは、Ｊａｖａｓｃｒｉｐｔ（登録商標）及び／又はＣｓｓによって提供された関数に基づいて、前記ページタグに操作ボタンを設定する操作ボタン設定ユニットを含む。
【００１１】
第２の態様又は第２の態様の第１の実施形態又は、第２の態様の第２の実施形態に基づき、本発明の実施例の第２の態様の第３の実施形態において、前記取得モジュールは、音声インタラクション情報と、テキストインタラクション情報と、ジェスチャインタラクション情報を含む画像インタラクション情報とのうち、少なくとも１つを含むインタラクション情報を受信するインタラクション情報受信ユニットと、前記インタラクション情報に基づいて、前記インタラクション情報に対応するＨ５ウェブページのコンテンツを取得する要求を送信する要求送信ユニットと、前記インタラクション情報に対応するＨ５ウェブページのコンテンツを受信するコンテンツ受信ユニットと、を含む。
【００１２】
第３の態様において、可能な設計では、Ｈ５ウェブページに基づくページ表示装置の構成には、プロセッサとメモリとが含まれ、前記メモリは、Ｈ５ウェブページに基づくページ表示装置が上記の第１態様におけるＨ５ウェブページに基づくページ表示方法を実行することをサポートするプログラムを記憶し、前記プロセッサは、前記メモリに記憶されているプログラムを実行するように配置される。前記Ｈ５ウェブページに基づくページ表示装置は、Ｈ５ウェブページに基づくページ表示装置を他のデバイス又は通信ネットワークと通信させる通信インターフェイスをさらに含んでもよい。
【００１３】
第４の態様において、本発明の実施例は、コンピュータ読み取り可能な記憶媒体を提供し、前記コンピュータ読み取り可能な記憶媒体は、Ｈ５ウェブページに基づくページ表示装置に使用されるコンピュータソフトウェア命令を記憶し、前記コンピュータソフトウェア命令は、前記第１態様のＨ５ウェブページに基づくページ表示方法を実行するためのプログラムを含む。
【００１４】
上記の技術解決案によれば、Ｈ５ウェブページのコンテンツを速やかに表示することができ、占用されるメモリを少なくし、表示スタイルをカスタマイズすることもできる、Ｈ５ウェブページに基づくページ表示方法を提供する。
【００１５】
前記概略的な記載は、単に説明するためのものであり、何らかの手段で限定することを意図していない。上記の記載における例示的な態様、実施形態及び特徴のほか、図面及び下記の詳細の記載を参照することにより、本発明のさらなる態様、実施形態及び特徴を理解しやすくなる。
【図面の簡単な説明】
【００１６】
図面において、別途に規定がない限り、複数の図面に使用された同じ符号は、同じ又は類似する部材又は要素を表す。これらの図面は、比例に従って作成したものとは限らない。なお、これらの図面は、本発明に開示された一部の実施形態だけを示すものであって、本発明の範囲を限定するものと見なしてはならない。
【００１７】
【図１】本発明の実施例におけるＨ５ウェブページに基づくページ表示方法のフローチャートである。
【図２】本発明の実施例におけるＨ５ウェブページに基づくページ表示方法の他の実施形態のフローチャートである。
【図３】本発明の実施例におけるＨ５ウェブページに基づくページ表示概略効果図である。
【図４】本発明の実施例におけるＨ５ウェブページに基づくページ表示装置の概略構成図である。
【図５】本発明の実施例におけるＨ５ウェブページに基づくページ表示装置の他の実施形態の概略構成図である。
【図６】本発明の実施例におけるＨ５ウェブページに基づくページ表示デバイスの概略構成図である。
【発明を実施するための形態】
【００１８】
下記の記載において、一部の例示的な実施例のみを簡単に説明する。当業者の周知通り、本発明の思想又は範囲を逸脱せず、記載の実施例を各種の手段で変更することができる。そのため、図面及び記載は、例示するものであって、実質的に限定するものではない。
【００１９】
本発明の実施例は、主に、Ｈ５ウェブページに基づくページ表示方法及び装置を提供し、以下は、技術解決案を詳細に説明する。
【００２０】
図１に示すように、本実施例は、ウェブビュー（ｗｅｂｖｉｅｗ）にメインページ（ｍａｉｎ.ｈｔｍｌ）をロードするステップＳ１１０と、Ｈ５ウェブページのコンテンツを取得するステップＳ１２０と、取得されたたＨ５ウェブページのコンテンツを含むページタグ（ｈｔｍｌ  ｔａｇ）を作成するステップＳ１３０と、メインページに当該ページタグをロードするステップＳ１４０と、を含む、Ｈ５ウェブページに基づくページ表示方法を提供する。
【００２１】
ここで、ｗｅｂｖｉｅｗは、ウェブページ（Ｗｅｂ）をロードする（即ち、表示する）ことができるウィジェットであり、ブラウザとして理解されてもよい。ｍａｉｎ.ｈｔｍｌは、メインファイルであり、ｍａｉｎ.ｈｔｍｌをロードすることによりメインインターフェイスを表示する。各Ｈ５ウェブページのコンテンツは、それぞれページタグの形でｍａｉｎ.ｈｔｍｌにロードすることができ、Ｈ５ウェブページのコンテンツを表示する。新しいＨ５ウェブページのコンテンツをロードする必要があるとき、この新しいＨ５ウェブページのコンテンツを含む新しいページタグを作成し、この新しいページタグをｍａｉｎ.ｈｔｍｌに追加してロードすることにより、この新しいＨ５ウェブページのコンテンツを表示することができる。
【００２２】
ページタグをロードすることは、ｗｅｂｖｉｅｗでＨ５ウェブページをロードすることより、より速い処理速度を有し、占有するメモリをより少なくすることができる本実施例のページ表示方法は、１つのｗｅｂｖｉｅｗだけですべてのＨ５ウェブページをロードすることができるため、Ｈ５ウェブページのロードのスピードを速くし、メモリを少なく占有し、ページをよりスムーズに表示することができる。
【００２３】
一実施形態において、ステップＳ１３０において、Ｊａｖａｓｃｒｉｐｔ（登録商標）又はＣｓｓによって提供される関数に基づいて、Ｈ５ウェブページのコンテンツの表示スタイルを設定し、この表示スタイルに基づいてページタグを作成することができる。
【００２４】
他の実施方式において、ステップＳ１３０において、Ｊａｖａｓｃｒｉｐｔ（登録商標）又はＣｓｓによって提供される関数に基づいて、ページタグに操作ボタンを設定することができる。
【００２５】
Ｊａｖａｓｃｒｉｐｔ（登録商標）は、ｈｔｍｌウェブページに動的機能を追加できるリテラル変換スクリプト言語であり、Ｃｓｓ（Ｃａｓｃａｄｉｎｇ  Ｓｔｙｌｅ  Ｓｈｅｅｔｓ）は、ｈｔｍｌウェブページを表現できるコンピュータ言語である。Ｊａｖａｓｃｒｉｐｔ（登録商標）とＣｓｓとは、異なるインターフェイス、すなわち、スタイルを定義する基本機能関数を提供することができる。これらの関数によって、表示スタイル設定をして、Ｈ５ウェブページのコンテンツの表示スタイルを柔軟に制御することができる。また、これらの関数によって、ページタグを作成するときに操作ボタン（例えば、クリックジャンプなど）を設定して、ユーザーとのインタラクション方式を制御することもできる。
【００２６】
他の実施方式において、図２に示すように、ステップＳ１２０は、ステップＳ１２１〜ステップＳ１２３を含む。
ステップＳ１２１において、インタラクション情報を受信する。インタラクション情報は、音声インタラクション情報と、テキストインタラクション情報と、画像インタラクション情報とのうち、少なくとも１つを含み、画像インタラクション情報は、ジェスチャインタラクション情報を含む。インタラクション情報は、ユーザーからのものであり、複数のインタラクション手段を提供する。
ステップＳ１２２において、インタラクション情報に基づいて、前記インタラクション情報に対応するＨ５ウェブページのコンテンツを取得する要求を送信し、例えば、ネットワークを介してサーバに要求を送信する。
ステップＳ１２３において、インタラクション情報に対応するＨ５ウェブページのコンテンツを受信し、例えば、ネットワークを介してサーバから当該Ｈ５ウェブページのコンテンツを受信する。
【００２７】
上記のページ表示方法は、モバイル端末のインタラクションインターフェイス、例えば、携帯電話のチャットインターフェイスに使用することができる。以下、図３を参照しながら、上記のページ表示方法のチャットインターフェイスでの具体的な例を示す。
【００２８】
図３に示すように、ステップＳ１１０において、ｗｅｂｖｉｅｗにより１つのｍａｉｎ.ｈｔｍｌをロードし、チャットインターフェイスのメインページを表示し、ページタグを作成する形でメインページにユーザーアバタをロードすることができ、Ｊａｖａｓｃｒｉｐｔ（登録商標）及び
Ｃｓｓによって提供された関数に基づいて、ユーザーアバタの位置を設定することができる。
【００２９】
ステップＳ１２１において、テキストインタラクション情報である「天気予報」のようなユーザーのインタラクション情報を受信し、ステップＳ１２２において、テキストインタラクション情報である「天気予報」に基づいて、「天気予報」に対応する「Ｈ５天気予報」のコンテンツを取得する要求を、ネットワークを介してサーバに送信し、ステップＳ１２３において、ネットワークを介してサーバから「Ｈ５天気予報」のコンテンツを受信する。
【００３０】
ステップＳ１３０において、「Ｈ５天気予報」のコンテンツを含むページタグを作成する。Ｊａｖａｓｃｒｉｐｔ（登録商標）及びＣｓｓによって提供された関数に基づいて、「Ｈ５天気予報」のコンテンツの表示スタイルを設定することができ、例えば、ポイント情報温度、湿度及び地域などをプレビューするなどとすることができる。また、Ｊａｖａｓｃｒｉｐｔ（登録商標）及びＣｓｓによって提供された関数に基づいて、「さらに見る」のような操作ボタンを作成することもでき、当該ボタンをクリックすると、「Ｈ５天気予報」のコンテンツ詳細ページへとジャンプする。操作ボタンの位置を、例えば、右下隅又は真ん中に位置するように設定することもできる。
【００３１】
ステップＳ１４０において、メインページに「Ｈ５天気予報」のページタグをロードし、さらにステップＳ１３０において設定された表示スタイルと操作ボタとンによって「Ｈ５天気予報」のコンテンツを表示する。
【００３２】
それぞれの新しいＨ５ウェブページのコンテンツは、ページタグの形でメインページにロードされる。例えば、ステップＳ１２１において、音声インタラクション情報である「周傑倫の曲」を受信し、ステップＳ１２２において、要求を送信し、ステップＳ１２３において、「周傑倫の曲」に対応する「Ｈ５百科」のコンテンツを受信し、ステップＳ１３０において、「Ｈ５百科」のコンテンツを含むページタグを作成し、ステップＳ１４０において、メインページに「Ｈ５百科」のページタグをロードし、「Ｈ５百科」のコンテンツを表示する。
【００３３】
さらに、例えば、ステップＳ１２１において、音声インタラクション情報である「笑い話を言って」を受信し、ステップＳ１２２において、要求を送信し、ステップＳ１２３において、「笑い話を言って」に対応する「Ｈ５ビデオ」のコンテンツを受信し、ステップＳ１３０において、「Ｈ５ビデオ」のコンテンツを含むページタグを作成し、Ｊａｖａｓｃｒｉｐｔ（登録商標）及びＣｓｓによって提供された関数に基づいて操作ボタンを作成し、操作ボタンの表示位置を真ん中に設定し、ステップＳ１４０において、メインページに「Ｈ５ビデオ」のページタグをロードし、ステップＳ１３０において設定された表示スタイルと操作ボタンとに従って「Ｈ５百科」のコンテンツを表示する。
【００３４】
本発明の実施例は、Ｈ５ウェブページに基づくページ表示装置をさらに提供する。図４に示すように、前記装置は、ウェブビューにメインページをロードするメインページロードモジュール１１０と、Ｈ５ウェブページのコンテンツを取得する取得モジュール１２０と、前記Ｈ５ウェブページのコンテンツに対応するページタグを作成する作成モジュール１３０と、前記メインページに前記ページタグをロードするページタグロードモジュール１４０と、を含む。
【００３５】
作成モジュール１３０は、Ｊａｖａｓｃｒｉｐｔ（登録商標）及び／又はＣｓｓによって提供された関数に基づいて、前記Ｈ５ウェブページのコンテンツの表示スタイルを設定する表示スタイル設定ユニット１３１と、前記表示スタイルに基づいて前記ページタグを作成するページタグ作成ユニット１３２と、Ｊａｖａｓｃｒｉｐｔ（登録商標）及び／又はＣｓｓによって提供された関数に基づいて、前記ページタグに操作ボタンを設定する操作ボタン設定ユニット１３３と、を含む。
【００３６】
図５に示すように、一実施可能な方法において、本実施例の取得モジュール１２０は、音声インタラクション情報と、テキストインタラクション情報と、ジェスチャインタラクション情報を含む画像インタラクション情報とのうち、少なくとも１つを含むインタラクション情報を受信するインタラクション情報受信ユニット１２１と、前記インタラクション情報に基づいて、前記インタラクション情報に対応するＨ５ウェブページのコンテンツを取得する要求を送信する要求送信ユニット１２２と、前記インタラクション情報に対応するＨ５ウェブページのコンテンツを受信するコンテンツ受信ユニット１２３と、をさらに含む。
【００３７】
本実施例における装置の各モジュールとユニットの機能は、上記の実施例におけるＨ５ウェブページに基づくページ表示方法の原理と類似ているため、ここでは説明を省略する。
【００３８】
本発明の実施例は、Ｈ５ウェブページに基づくページ表示デバイスをさらに提供する。図６に示すように、当該デバイスは、メモリ２１０とプロセッサ２２０とを含み、メモリ２１０にプロセッサ２２０で実行可能なコンピュータプログラムが記憶される。前記プロセッサ２２０が前記コンピュータプログラムを実行する時に、上記の実施例におけるＨ５ウェブページに基づくページ表示方法が実現される。前記メモリ２１０とプロセッサ２２０との数は、１つ又は複数であってよい。
【００３９】
当該デバイスは、外部デバイスと通信して、データのインタラクション伝送を行うことに使用される通信インターフェイス２３０をさらに含む。
【００４０】
メモリ２１０は、高速ＲＡＭメモリを含んでよく、少なくとも１つの磁気ディスクメモリのような不揮発性メモリ（ｎｏｎーｖｏｌａｔｉｌｅ ｍｅｍｏｒｙ）をさらに含んでもよい。
【００４１】
メモリ２１０、プロセッサ２２０、及び通信インターフェイス２３０は、独立して実装されると、メモリ２１０、プロセッサ２２０、及び通信インターフェイス２３０は、バスを介して互いに接続して、相互間の通信を完成することができる。前記バスは、インダストリスタンダードアーキテクチャ（ＩＳＡ、Ｉｎｄｕｓｔｒｙ Ｓｔａｎｄａｒｄ Ａｒｃｈｉｔｅｃｔｕｒｅ）バス、ペリフェラルコンポーネントインターコネクト（ＰＣＩ、Ｐｅｒｉｐｈｅｒａｌ Ｃｏｍｐｏｎｅｎｔ）バス、又はイーアイサ（ＥＩＳＡ、Ｅｘｔｅｎｄｅｄ Ｉｎｄｕｓｔｒｙ Ｓｔａｎｄａｒｄ Ｃｏｍｐｏｎｅｎｔ）バスなどであってよい。前記バスは、アドレスバス、データバス、制御バスなどに分けられる。容易に示すために、図６において１本の太線のみで示されるが、バスが１本のみ或いは１タイプのみであることが示されているわけではない。
【００４２】
選択可能に、具体的な実現において、メモリ２１０、プロセッサ２２０、及び通信インターフェイス２３０が１つのチップに集成されると、メモリ２１０、プロセッサ２２０、及び通信インターフェイス２３０は内部インターフェイスを介して互いの通信を完成する。
【００４３】
本実施例によって提供される前記技術案によれば、１つのｗｅｂｖｉｅｗのみですべてのＨ５ウェブページをロードすることができ、１つのｍａｉｎ.ｈｔｍｌを提供した後、すべてのＨ５ウェブページのコンテンツをｈｔｍｌのｔａｇの形でこのファイルに追加することができるので、占有するメモリを少なくし、Ｈ５ウェブページのコンテンツを速やかでスムーズに表示することができる。また、Ｊａｖａｓｃｒｉｐｔ（登録商標）及びｃｓｓにより各インターフェイスの表示スタイル及びユーザーとのインタラクション方式をカスタマイズすることもできる。
【００４４】
本開示の説明において、「一実施例」、「一部の実施例」、「例」、「具体的な例」、或いは「一部の例」などの用語を参考した説明は、当該実施例或いは例に合わせて説明された具体的な特徴、構成、材料或いは特性が、本開示の少なくとも１つの実施例或いは例に含まれることをいう。本明細書において、上記用語に対する例示的な説明は、必ずしも同じ実施例或いは例を示すものではない。また、説明された具体的な特徴、構成、材料或いは特性は、いずれか１つ或いは複数の実施例又は例において適切に結合することができる。なお、相互に矛盾しない限り、当業者は、本明細書において説明された異なる実施例又は例、及び異なる実施例又は例の特徴を結合し、組み合わせることができる。
【００４５】
なお、「第１」、「第２」の用語は、単に説明するためのものであり、比較的重要であることを指示又は暗示するか、或いは示された技術の特徴の数を黙示的に指示すると理解してはならない。よって、「第１」、「第２」と限定されている特徴は少なくとも１つの前記特徴を含むことを明示又は暗示するものである。本開示の説明において、明確且つ具体的な限定がない限り、「複数」とは、２つ以上を意味する。
【００４６】
フローチャートにおける、又はここで他の形態で記載された任意のプロセス又は方法は、特定ロジック機能又はプロセスのステップを実現するための１つ又は複数の実行可能な命令コードを含むモジュール、セグメント又は一部を表すと理解される。また、本発明の好ましい実施形態の範囲は、ここで示されるか又は論議された順番ではなく、係る機能に応じてほぼ同時の形態又は逆の順番で機能を実行することができる他の実現を含むことができる。これは、当業者であれば理解すべきものである。
【００４７】
フローチャートで示された又はここで他の形態で説明されたロジック及び／又はステップは、例えば、ロジック機能を実現するための実行可能な命令の順番付けられたリストと見なすことができ、任意のコンピュータ読み取り可能な記憶媒体に具体的に実装され、命令実行システム、装置、又はデバイス（例えばコンピュータに基づいたシステム、プロセッサを含むシステム、又は他の命令実行システム、装置又はデバイスから命令を獲得して命令を実行するシステム）に利用されるか、又はこれらの命令実行システム、装置又はデバイスと組み合わせて利用される。本願明細書において、「コンピュータ読み取り可能な記憶媒体」は、命令実行システム、装置又はデバイスによって、又は、命令実行システム、装置又はデバイスと組み合わせて使用するためのプログラムを含む、格納され、通信され、伝播され、又は伝送される任意の装置であってもよい。コンピュータ読み取り可能な記憶媒体のより具体的な例（非限定的なリスト）として、１つ又は複数の配線を備える電気接続部（電子デバイス）、ポータブルコンピュータディスクカートリッジ（磁気デバイス）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバデバイス、及びポータブルコンパクトディスク読み出し専用リメモリ（ＣＤＲＯＭ）を含む。また、コンピュータ読み取り可能な記憶媒体は、前記プログラムが印刷され得る紙又は他の適切な媒体であってもよい。これは、例えば、紙や他の媒体を光学のスキャンして編集し、解釈し、又は必要な場合に他の適切な形態で処理して前記プログラムを電子的に取得して、コンピュータメモリに格納するからである。
【００４８】
なお、本発明の各部分は、ハードウェア、ソフトウェア、ファームウェア、又はこれらの組み合わせによって実現することができる。上記実施形態において、複数のステップ又は方法は、メモリに記憶された適切な命令実行システムによって実行されるソフトウェア又はファームウェアによって実現することができる。例えば、ハードウェアで実現される際には、もう１つの実施形態と同様、本分野において周知であるデータ信号に対してロジック機能を実現するためのロジックゲート回路を備える離散ロジック回路、適切な組み合わせのロジックゲート回路を備える特定用途向け集積回路、プログラマブルゲートアレイ（ＰＧＡ）、フィールドプログラマブルゲートアレイ（ＦＰＧＡ）などの当分野の周知技術のうちのいずれか１つ又を組み合わせて実現することができる。
【００４９】
普通の当業者であれば、上記の実施例に係る方法に含まれる全部又は一部のステップは、プログラムによってハードウェアを命令することで実行することができると理解することができる。前記プログラムは、コンピュータ読み取り可能な記憶媒体に格納することができ、当該プログラムが実行される場合に、方法実施例におけるステップの１つ又はそれらの組み合わせが実行される。
【００５０】
また、本発明の各実施例における各機能ユニットは、１つの処理モジュールに集積されてもよいし、それぞれが個別の物理の存在であってもよいし、２つ以上のユニットが１つのモジュールに集積されてもよい。前記集積モジュールは、ハードウェアの形態で実現されてもよいし、ソフトウェア機能モジュールの形態で実現されてもよい。前記集積モジュールがソフト機能モジュールの形態で実現され、独立した製品として販売又は使用される場合に、１つのコンピュータ読み取り可能な記憶媒体に記憶されてもよい。上記の記憶媒体は、読み出し専用メモリ、磁気ディスク、又はＣＤなどであってもよい。
【００５１】
以上のように、本発明の具体実施例であり、本発明の範囲はこれに限定ない。当業者であれば、本発明の開示された技術範囲内で、それらの様々な変更又は代替を容易に想到することができ、これらも本発明の保護範囲内に該当するものである。従って、本発明の保護範囲は、特許請求の範囲に従うものとする。
【図１】
2020004374.tif 000003
【図２】
2020004374.tif 000004
【図３】
2020004374.tif 000005
【図４】
2020004374.tif 000006
【図５】
2020004374.tif 000007
【図６】
2020004374.tif 000008